(57)【要約】【課題】静電吸着ベルトに対する給電位置を可変にすることで、静電吸着ベルトの耐久性を向上することができるシート搬送装置および画像形成装置を提供すること。【解決手段】複数のシートが積層されたシート束１を収納するシート収納部１１と、シート束１の最上位シート１Ａを、静電吸着力によって吸着する無端状の静電吸着ベルト１３Ａと、静電吸着ベルト１３Ａに接触してこの静電吸着ベルト１３Ａに電圧を印加する給電部１３Ｅと、静電吸着ベルト１３Ａを回転駆動させ、最上位シート１Ａを搬送する静電吸着ベルト駆動部材１７と、給電部１３Ｅを静電吸着ベルト１３Ａの幅方向に移動させる給電部移動手段としてのスライド部材３０、リンク部材３１、アクチュエータ２６を備えた。【選択図】図８
2013139332.tif 000002
【特許請求の範囲】
【請求項１】
複数のシートが積層されたシート束を収納するシート収納部と、
前記シート束の最上位シートを、静電吸着力によって吸着する無端状の静電吸着ベルトと、
前記静電吸着ベルトに接触して該静電吸着ベルトに電圧を印加する給電部と、
前記静電吸着ベルトを回転駆動させ、前記最上位シートを搬送する静電吸着ベルト駆動手段と、
前記給電部を前記静電吸着ベルトの幅方向に移動させる給電部移動手段と、を備えたことを特徴とするシート搬送装置。
【請求項２】
前記給電部移動手段は、
前記給電部を前記静電吸着ベルトの幅方向に移動可能に支持する支持部材と、
前記給電部に前記幅方向の一端部が接続されるとともに前記幅方向に延在するリンク部材と、
前記リンク部材の前記幅方向の他端部が接続されるとともに前記リンク部材を前記幅方向に直線的に移動させることにより、前記リンク部材を介して前記給電部を前記幅方向に移動させるアクチュエータと、を備えたことを特徴とする請求項１に記載のシート搬送装置。
【請求項３】
前記給電部移動手段は、
前記給電部を前記静電吸着ベルトの幅方向に移動可能に支持する支持部材と、
前記幅方向に延在する状態で駆動ローラおよび従動ローラに掛け渡されるとともに側端部が前記給電部に接続された無端状の駆動ベルトと、
前記駆動ローラを回転させることにより、前記駆動ベルトを介して前記給電部を前記幅方向に移動させるモータと、を備えたことを特徴とする請求項１に記載のシート搬送装置。
【請求項４】
請求項１〜３の何れかに記載のシート搬送装置を備えることを特徴とする画像形成装置。
【請求項５】
前記画像形成装置が、デジタルコピー機であることを特徴とする請求項４に記載の画像形成装置。
【請求項６】
前記画像形成装置が、プリンタ装置であることを特徴とする請求項４に記載の画像形成装置。
【請求項７】
前記画像形成装置が、ファクシミリ装置であることを特徴とする請求項４に記載の画像形成装置。
【請求項８】
前記画像形成装置が、オフセット印刷機であることを特徴とする請求項４に記載の画像形成装置。
【発明の詳細な説明】
【技術分野】
【０００１】
本発明は、シート束から静電吸着により最上位シートを分離して搬送するシート搬送装置および画像形成装置に関する。
【背景技術】
【０００２】
従来、デジタルコピー機、プリンタ装置、ファクシミリ装置、オフセット印刷機等の画像形成装置に搭載され、記録紙などの記録媒体（以下、「シート」という）を給紙するためのシート搬送装置として、例えば、静電吸着方式のシート搬送装置が知られている。
【０００３】
この種の静電吸着方式のシート搬送装置としては、複数の電極が絶縁層で被覆された電極内蔵型の静電吸着ベルトによって、シート束の最上位シートを静電吸着力（クーロン力）で吸着して搬送するようにした技術が知られている（例えば、特許文献１参照）。
【０００４】
具体的には、特許文献１に記載のシート搬送装置は、静電吸着ベルトの電極に安定して電圧を印加するために、給電部が静電吸着ベルトに接触するように構成されている。
【発明の概要】
【発明が解決しようとする課題】
【０００５】
しかしながら、特許文献１に記載された技術では、給電部が静電吸着ベルトの同じ部分に常に接触するように構成されているため、給電部に接触する部分の静電吸着ベルトが偏摩耗してしまい、静電吸着ベルトの耐久性が低いという問題があった。
【０００６】
本発明はこのような問題を解決するためになされたもので、静電吸着ベルトに対する給電位置を可変にすることで、静電吸着ベルトの耐久性を向上することができるシート搬送装置および画像形成装置を提供するものである。
【課題を解決するための手段】
【０００７】
本発明に係るシート搬送装置は、複数のシートが積層されたシート束を収納するシート収納部と、前記シート束の最上位シートを、静電吸着力によって吸着する無端状の静電吸着ベルトと、前記静電吸着ベルトに接触して該静電吸着ベルトに電圧を印加する給電部と、前記静電吸着ベルトを回転駆動させ、前記最上位シートを搬送する静電吸着ベルト駆動手段と、前記給電部を前記静電吸着ベルトの幅方向に移動させる給電部移動手段と、を備えたことを特徴とする。
【発明の効果】
【０００８】
本発明によれば、静電吸着ベルトに対する給電位置を可変にすることで、静電吸着ベルトの耐久性を向上することができるシート搬送装置および画像形成装置を提供することができる。
【図面の簡単な説明】
【０００９】
【図１】本発明の一実施の形態に係るシート搬送装置を備えた画像形成装置の概略構成図である。
【図２】本発明の一実施の形態に係るシート搬送装置の側面図であり、シートの静電吸着を行っていないときを示す図である。
【図３】本発明の一実施の形態に係るシート搬送装置の側面図であり、シートの静電吸着および搬送を行っているときを示す図である。
【図４】本発明の一実施の形態に係るシート搬送装置の側面図であり、図３を矢印Ｚの方向から見た状態を示す図である。
【図５】本発明の一実施の形態に係るシート搬送装置の静電吸着ベルトの詳細な構成を示す図である。
【図６】本発明の一実施の形態に係るシート搬送装置の静電吸着ベルトの帯電時の状態を示す図である。
【図７】本発明の一実施の形態に係るシート搬送装置の静電吸着ベルトへの給電部の詳細な構成を示す側面図である。
【図８】本発明の一実施の形態に係るシート搬送装置において静電吸着ベルトに接触する２つの給電部をアクチュエータにより独立して移動する構成を示す側面図である。
【図９】図８を矢印Ｑの方向から見た状態を示す上面図である。
【図１０】本発明の一実施の形態に係るシート搬送装置において静電吸着ベルトに接触する２つの給電部をアクチュエータにより一体的に移動する構成を示す側面図である。
【図１１】図１０を矢印Ｒの方向から見た状態を示す上面図である。
【図１２】本発明の一実施の形態に係るシート搬送装置において静電吸着ベルトに接触する２つの給電部をモータにより独立して移動する構成を示す側面図である。
【図１３】図１２を矢印Ｓの方向から見た状態を示す上面図である。
【図１４】本発明の一実施の形態に係るシート搬送装置において静電吸着ベルトに接触する２つの給電部をモータにより一体的に移動する構成を示す側面図である。
【図１５】図１４を矢印Ｔの方向から見た状態を示す上面図である。
【発明を実施するための形態】
【００１０】
以下、本発明の実施の形態について、図面を参照して説明する。まず、構成について説明する。
【００１１】
図１に示すように、画像形成装置５１は、電子写真方式のデジタルコピー機として構成されており、原稿を読取る原稿読取部５２と、シート搬送装置１０から搬送される最上位シート（記録紙）１Ａに対し原稿読取部５２が読取った画像を形成する画像形成部５３と、シート束１から１枚の最上位シート１Ａを分離して画像形成部５３に搬送するシート搬送装置１０とを備えている。
【００１２】
シート搬送装置１０により搬送された最上位シート１Ａは、搬送ローラ対５８により移送され、画像形成部５３で形成されたトナー画像が転写装置５９により転写され、このトナー画像が定着器６０により熱転写され、排紙ローラ対６１により排紙トレイ６２に排出されるようになっている。
【００１３】
次に、図２〜図１５を参照して、シート搬送装置１０の詳細について説明する。図２、図３に示すように、シート搬送装置１０は、シート収納部１１と、シート昇降部材１２と、静電吸着ベルト部１３と、上流側端部規制部材１６と、静電吸着ベルト駆動部材１７と、シート昇降部材駆動部材１８と、を備えている。
【００１４】
また、図４に示すように、シート搬送装置１０は、シート収納部１１において、シート束１の搬送方向側端部の位置を規制する側端部規制部材１５を備えている。上流側端部規制部材１６は、シート収納部１１において、シート束１の搬送方向上流側端部の位置を規制するものである。シート搬送装置１０の各部は、図示しない制御手段により制御されるようになっている。
【００１５】
シート収納部１１は、積載トレイとしての水平面であるシート昇降部材１２を有しており、シート昇降部材１２に積層された複数枚のシートからなるシート束１を収納するようになっている。
【００１６】
シート収納部１１には、制御手段に接続されたシート昇降部材駆動部材１８が駆動連結されており、シート昇降部材駆動部材１８が駆動することによりシート昇降部材１２が昇降し、シート収納部１１内のシート束１が昇降することができるように構成されている。
【００１７】
シート昇降部材駆動部材１８は、シート昇降部材１２を任意の量だけ上昇させることができるように、ステッピングモータや、エンコーダが付いたサーボモータを備えて構成されている。
【００１８】
静電吸着ベルト部１３は、静電吸着ベルト１３Ａにより、シート束１の最上位シート１Ａを静電吸着力により吸着して画像形成部５３に搬送するものである。
【００１９】
静電吸着ベルト部１３は、駆動ローラ１３Ｂと、従動ローラ１３Ｃと、これら駆動ローラ１３Ｂおよび従動ローラ１３Ｃ掛け渡された静電吸着ベルト１３Ａと、を備えている。駆動ローラ１３Ｂは、制御手段に接続されたモータ等からなる静電吸着ベルト駆動部材１７に駆動連結されており、静電吸着ベルト駆動部材１７により駆動されるようになっている。
【００２０】
また、シート搬送装置１０は、静電吸着ベルト１３Ａに誘電分極を発生させて最上位シート１Ａと静電吸着ベルト１３Ａとの間に静電吸着力を発生されるための電源である電源部１３Ｄと、この電源部１３Ｄからの電圧を静電吸着ベルト１３Ａに印加する給電部１３Ｅを備えている。
【００２１】
給電部１３Ｅは、静電吸着ベルト１３Ａの幅方向端部近傍となる位置にそれぞれ配置されており、後述する給電コロ２５（図７参照）を備え、この給電コロ２５を静電吸着ベルト１３Ａに接触させて電圧を印加するようになっている。
【００２２】
次に、静電吸着ベルト部１３におけるシート吸着のメカニズムについて説明する。図５、図６に示すように、静電吸着ベルト１３Ａは、複数の電極２１を絶縁層２２によって被覆したシート状の媒体をベルト状に形成したものであり、電極内蔵型の静電吸着ベルトとして構成されている。
【００２３】
複数の電極２１は、プラス電極２１Ａとマイナス電極２１Ｂとを交互に配列したものから構成されている。図５、図６は、図１に符号Ｙで示す静電吸着ベルト１３Ａの下面側を示している。
【００２４】
これらプラス電極２１Ａとマイナス電極２１Ｂとを交互に配列した電極２１に、電源部１３Ｄから給電部１３Ｅ（図５、図６では不図示）を介して電圧を印加すると、図６に示すように、誘電分極が発生し、最上位シート１Ａの吸着面が分極するため、最上位シート１Ａと静電吸着ベルト１３Ａとの間に静電吸着力（クーロン力）が発生するようになっている。
【００２５】
最上位シート１Ａと静電吸着ベルト１３Ａとの間に静電吸着力が発生すると、この静電吸着力により最上位シート１Ａが静電吸着ベルト１３Ａに吸着されるようになっている。
【００２６】
最上位シート１Ａが静電吸着ベルト１３Ａに吸着した状態で、図３に示すように静電吸着ベルト駆動部材１７が駆動して静電吸着ベルト１３Ａが回転することにより、最上位シート１Ａは、静電吸着ベルト１３Ａの表面の移動とともに移動して画像形成部５３に搬送されるようになっている。
【００２７】
以下、給電部１３Ｅの詳細な構成を説明する。図７に示すように、静電吸着ベルト１３Ａへの給電は２つの給電部１３Ｅを介して行われる。各給電部１３Ｅは、静電吸着ベルト１３Ａの外周面に接触して従動回転しながら静電吸着ベルト１３Ａに電圧を印加する給電コロ２５と、給電コロ２５を静電吸着ベルト１３Ａに押し付けるスプリング２３と、を備えている。
【００２８】
また、各給電部１３Ｅは、静電吸着ベルト１３Ａを挟んで給電コロ２５に対向する位置に配置され静電吸着ベルト１３Ａの内周面に接触して回転しながら静電吸着ベルト１３Ａを内周側から支持する対向コロ４５と、これら給電コロ２５、対向コロ４５およびスプリング２３を保持するホルダ２４と、を備えている。
【００２９】
このように、給電コロ２５がスプリング２３によって一定の力で静電吸着ベルト１３Ａに当接されることにより、給電コロ２５から静電吸着ベルト１３Ａへの給電が安定的に行われるようになっている。
【００３０】
図８に示すように、静電吸着ベルト１３Ａの幅方向両端部にそれぞれ配置された給電部１３Ｅは、一方がプラス極となり、他方がマイナス極となっている。
【００３１】
また、２つの給電部１３Ｅは、静電吸着ベルト１３Ａの幅方向にそれぞれ独立して（個別に）移動できるように構成されている。具体的には、シート搬送装置１０は、給電部１３Ｅのホルダ２４にその一端部が接続された棒状のリンク部材３１と、リンク部材３１の他端部に接続されたアクチュエータ２６と、静電吸着ベルト１３Ａの幅方向にホルダ２４が摺動して移動できるようにホルダ２４の下面を下方から支持するスライド部材３０と、を備えている。
【００３２】
より詳しくは、リンク部材３１は、静電吸着ベルト１３Ａの幅方向の一端部が給電部１３Ｅのホルダ２４に接続されるとともに静電吸着ベルト１３Ａの幅方向に延在している。また、アクチュエータ２６は、静電吸着ベルト１３Ａの幅方向におけるリンク部材３１の他端部が接続されるとともにリンク部材３１を静電吸着ベルト１３Ａの幅方向に直線的に移動させることにより、リンク部材３１を介して給電部１３Ｅを静電吸着ベルト１３Ａの幅方向に移動させるようになっている。
【００３３】
アクチュエータ２６は、静電吸着ベルト１３Ａの幅方向の中央側および端部側に伸縮することにより、リンク部材３１を介して給電部１３Ｅを所定の範囲で静電吸着ベルト１３Ａの幅方向の中央側および端部側に移動するようになっている。
【００３４】
すなわち、本実施の形態では、給電部１３Ｅをリンク部材３１を介してアクチュエータ２６に接続し、アクチュエータ２６を駆動することにより、給電部１３Ｅのホルダ２４をスライド部材３０上で摺動させて給電位置を変更することができるので、簡易な構成により給電部１３Ｅによる静電吸着ベルト１３Ａへの負荷を分散することができ、耐久性を向上することができるようになっている。
【００３５】
一方、図９に示すように、静電吸着ベルト１３Ａは、プラス極への給電帯２８とマイナス極への給電帯２９を有しており、電極内蔵型の構成となっている。給電帯２８には、この給電帯２８の位置に配置された給電部１３Ｅからプラスの電圧が印加され、給電帯２９には、この給電帯２９の位置に配置された給電部１３Ｅからマイナスの電圧が印加されるようになっている。
【００３６】
給電帯２８、２９は、静電吸着ベルト１３Ａの幅方向端部近傍にそれぞれ配置されており、静電吸着ベルト１３Ａの回転方向に延在する帯状に形成されている。給電帯２８、２９には、図５、図６に示すように、複数の電極２１を絶縁層２２によって被覆した構成となっている。
【００３７】
また、各々の給電帯２８、２９の幅は、給電部１３Ｅの給電コロ２５の幅よりも広く設定されている。すなわち、給電帯２８、２９の幅方向の長さは、給電部１３Ｅの給電コロ２５の幅方向の長さより長く設定されている。
【００３８】
このように、本実施の形態では、給電帯２８、２９が給電コロ２５よりも幅広く設けられていることにより、給電コロ２５と給電帯２８、２９との接触を保ったまま、給電コロ２５の位置を静電吸着ベルト１３Ａの幅方向に移動して給電位置を変更することができるため、簡易な構成により、給電部１３Ｅによる静電吸着ベルト１３Ａへの負荷を効率的に分散することができ、静電吸着ベルト１３Ａの耐久性を向上することができる。なお、上記の簡易な構成とは、後述する駆動ベルト３２とモータ２７を用いて給電コロ２５の位置を移動する構成と比較した場合を意味する。
【００３９】
なお、給電部１３Ｅを静電吸着ベルト１３Ａの幅方向に移動可能としては、上記構成に限らず、例えば、図１０、図１１に示すように、２つの給電コロ２５を１つのホルダ２４に保持させたものから構成された１つの給電部１３Ｅを備えるとともに、給電部１３Ｅのホルダ２４にリンク部材３１を介してアクチュエータ２６を接続するようにしてもよい。
【００４０】
この場合、アクチュエータ２６を駆動することにより、給電部１３Ｅのホルダ２４をスライド部材３０上で摺動させて、２つの給電コロ２５による給電位置を一体的に変更することができるので、給電部１３Ｅによる静電吸着ベルト１３Ａへの負荷を効率的に分散することができ、静電吸着ベルト１３Ａの耐久性を向上することができる。
【００４１】
また、２つの給電コロ２５を１つのホルダ２４に保持させて一体的に移動するので、より簡易な構成により、給電部１３Ｅによる静電吸着ベルト１３Ａへの負荷を効率的に分散することができる。
【００４２】
また、図１２、図１３に示すように、２つの給電部１３Ｅを、静電吸着ベルト１３Ａの幅方向端部近傍にそれぞれ配置するとともに、各給電部１３Ｅのホルダ２４に、駆動ローラ３３および従動ローラ３４に掛け渡された無端状の駆動ベルト３２を接続し、駆動ローラ３３をモータ２７で駆動することにより、２つの給電部１３Ｅを独立して移動するように構成してもよい。
【００４３】
図１２、図１３において、シート搬送装置１０は、駆動ローラ３３および従動ローラ３４に掛け渡された駆動ベルト３２と、駆動ローラ３３を回転させるモータ２７とを備え、駆動ベルト３２の側端部、すなわち幅方向の一端部が給電部１３Ｅのホルダ２４に接続されている。また、駆動ベルト３２は、静電吸着ベルト１３Ａの幅方向に延在する状態で、駆動ローラ３３および従動ローラ３４に掛け渡されている。
【００４４】
この場合、駆動ベルト３２を介して接続されたモータ２７を駆動することによって、各給電部１３Ｅがスライド部材３０上をそれぞれ独立して移動可能となるため、給電部１３Ｅによる静電吸着ベルト１３Ａへの負荷を効率的に分散することができ、静電吸着ベルト１３Ａの耐久性を向上することができる。
【００４５】
また、リンク部材３１とアクチュエータ２６を用いる場合よりも、給電位置を精度良く変更することができる。
【００４６】
また、図１４、図１５に示すように、２つの給電コロ２５と、この２つの給電コロ２５を保持する１つのホルダ２４と、を有する１つの給電部１３Ｅを備えるとともに、給電部１３Ｅのホルダ２４に駆動ベルト３２を介してモータ２７を接続した構成としてもよい。
【００４７】
図１４、図１５において、シート搬送装置１０は、図１２、図１３と同様に、駆動ローラ３３および従動ローラ３４に掛け渡された駆動ベルト３２と、駆動ローラ３３を回転させるモータ２７とを備え、駆動ベルト３２の幅方向の一端部が給電部１３Ｅのホルダ２４に接続されている。
【００４８】
この場合、駆動ベルト３２を介して接続されたモータ２７を駆動することによって、給電部１３Ｅの２つの給電コロ２５がスライド部材３０上を一体的に移動可能となるため、給電部１３Ｅによる静電吸着ベルト１３Ａへの負荷を効率的に分散することができ、静電吸着ベルト１３Ａの耐久性を向上することができる。
【００４９】
また、リンク部材３１とアクチュエータ２６を用いる場合よりも、給電位置を精度良く変更することができる。
【００５０】
また、２つの給電コロ２５を１つのホルダ２４に保持させて一体的に移動するので、より簡易な構成により、給電部１３Ｅによる静電吸着ベルト１３Ａへの負荷を効率的に分散することができる。
【００５１】
以上のように、本実施の形態に係るシート搬送装置１０は、複数のシートが積層されたシート束１を収納するシート収納部１１と、シート束１の最上位シート１Ａを、静電吸着力によって吸着する無端状の静電吸着ベルト１３Ａと、静電吸着ベルト１３Ａに接触してこの静電吸着ベルト１３Ａに電圧を印加する給電部１３Ｅと、静電吸着ベルト１３Ａを回転駆動させ、最上位シート１Ａを搬送する静電吸着ベルト駆動部材１７と、給電部１３Ｅを静電吸着ベルト１３Ａの幅方向に移動させる給電部移動手段としてのスライド部材３０、リンク部材３１、アクチュエータ２６、または、スライド部材３０、駆動ベルト３２、モータ２７を備えたことを特徴とする。
【００５２】
この構成により、給電コロ２５の位置を静電吸着ベルト１３Ａの幅方向に移動して給電位置を変更することができるため、給電部１３Ｅによる静電吸着ベルト１３Ａへの負荷を効率的に分散することができ、静電吸着ベルト１３Ａの耐久性を向上することができる。
【００５３】
したがって、静電吸着ベルト１３Ａに対する給電位置を可変にすることで、静電吸着ベルト１３Ａの耐久性を向上することができる。
【００５４】
また、本実施の形態に係るシート搬送装置１０は、給電部移動手段として、給電部１３Ｅを静電吸着ベルト１３Ａの幅方向に移動可能に支持するスライド部材３０と、給電部１３Ｅに幅方向の一端部が接続されるとともに幅方向に延在するリンク部材３１と、リンク部材３１の幅方向の他端部が接続されるとともにリンク部材３１を幅方向に直線的に移動させることにより、リンク部材３１を介して給電部１３Ｅを幅方向に移動させるアクチュエータ２６と、を備えたことを特徴とする。
【００５５】
この構成により、簡易な構成により、給電部１３Ｅによる静電吸着ベルト１３Ａへの負荷を効率的に分散することができ、静電吸着ベルト１３Ａの耐久性を向上することができる。
【００５６】
また、本実施の形態に係るシート搬送装置１０は、給電部移動手段として、給電部１３Ｅを静電吸着ベルト１３Ａの幅方向に移動可能に支持するスライド部材３０と、幅方向に延在する状態で駆動ローラ３３および従動ローラ３４に掛け渡されるとともに側端部が給電部１３Ｅに接続された無端状の駆動ベルト３２と、駆動ローラ３３を回転させることにより、駆動ベルト３２を介して給電部１３Ｅを幅方向に移動させるモータ２７と、を備えたことを特徴とする。
【００５７】
この構成により、リンク部材３１とアクチュエータ２６を用いる場合よりも、給電位置を精度良く変更することができる。
【００５８】
また、本実施の形態に係る画像形成装置５１は、上記のシート搬送装置１０を備えることを特徴とする。
【００５９】
このため、シート搬送装置１０を備える画像形成装置５１において、静電吸着ベルト１３Ａに対する給電位置を可変にすることで、静電吸着ベルト１３Ａの耐久性を向上することができる。
【００６０】
また、本実施の形態に係る画像形成装置５１は、デジタルコピー機であることを特徴とする。
【００６１】
このため、デジタルコピー機としての画像形成装置５１において、静電吸着ベルト１３Ａに対する給電位置を可変にすることで、静電吸着ベルト１３Ａの耐久性を向上することができる。
【００６２】
また、本実施の形態に係る画像形成装置５１は、プリンタ装置であることを特徴とする。
【００６３】
このため、プリンタ装置としての画像形成装置５１において、静電吸着ベルト１３Ａに対する給電位置を可変にすることで、静電吸着ベルト１３Ａの耐久性を向上することができる。
【００６４】
また、本実施の形態に係る画像形成装置５１は、ファクシミリ装置であることを特徴とする。
【００６５】
このため、ファクシミリ装置としての画像形成装置５１において、静電吸着ベルト１３Ａに対する給電位置を可変にすることで、静電吸着ベルト１３Ａの耐久性を向上することができる。
【００６６】
また、本実施の形態に係る画像形成装置５１は、オフセット印刷機であることを特徴とする。
【００６７】
このため、オフセット印刷機としての画像形成装置５１において、静電吸着ベルト１３Ａに対する給電位置を可変にすることで、静電吸着ベルト１３Ａの耐久性を向上することができる。
【産業上の利用可能性】
【００６８】
以上説明したように、本発明に係るシート搬送装置および画像形成装置は、静電吸着ベルトに対する給電位置を可変にすることで、静電吸着ベルトの耐久性を向上することができるという効果を有し、シート束から静電吸着により最上位シートを分離して搬送するシート搬送装置およびこのシート搬送装置を備える画像形成装置として有用である。
【符号の説明】
【００６９】
１  シート束
１Ａ  最上位シート
１０  シート搬送装置
１３  静電吸着ベルト部
１３Ａ  静電吸着ベルト
１３Ｂ  駆動ローラ
１３Ｃ  従動ローラ
１３Ｄ  電源部
１３Ｅ  給電部
１７  静電吸着ベルト駆動部材（静電吸着ベルト駆動手段）
２３  スプリング
２４  ホルダ
２５  給電コロ
２６  アクチュエータ（給電部移動手段）
２７  モータ（給電部移動手段）
３０  スライド部材（給電部移動手段、支持部材）
３１  リンク部材（給電部移動手段）
３２  駆動ベルト（給電部移動手段）
３３  駆動ローラ
３４  従動ローラ
４５  対向コロ
５１  画像形成装置
【先行技術文献】
【特許文献】
【００７０】
【特許文献１】特開２０１０−１２６３１７号公報
【図１】
2013139332.tif 000003
【図２】
2013139332.tif 000004
【図３】
2013139332.tif 000005
【図４】
2013139332.tif 000006
【図５】
2013139332.tif 000007
【図６】
2013139332.tif 000008
【図７】
2013139332.tif 000009
【図８】
2013139332.tif 000010
【図９】
2013139332.tif 000011
【図１０】
2013139332.tif 000012
【図１１】
2013139332.tif 000013
【図１２】
2013139332.tif 000014
【図１３】
2013139332.tif 000015
【図１４】
2013139332.tif 000016
【図１５】
2013139332.tif 000017